(57)【要約】【課題】１段目スイッチの感触をなくした状態で２段目スイッチをＯＮ状態にすることが可能なスイッチ装置を提供すること。【解決手段】磁石と、磁性体で構成され、押圧部材により押圧される被押圧部材と、被押圧部材の第１の領域に接触可能な第１の電極と、被押圧部材が第１の電極に接触している状態で被押圧部材が押圧部材により押圧されることで被押圧部材の第２の領域に接触可能な第２の電極と、被押圧部材および磁石の外周に配置されているコイルと、を有し、被押圧部材は、コイルが非通電状態である場合、磁石により保持される第１の状態になり、コイルが通電状態である場合、磁石から引き離される第２の状態になり、第１の状態または第２の状態のいずれかの状態において、第１の領域は第１の電極に接触する。【選択図】図２
2019087481.tif 000002
【特許請求の範囲】
【請求項１】
磁石と、
磁性体で構成され、押圧部材により押圧される被押圧部材と、
前記被押圧部材の第１の領域に接触可能な第１の電極と、
前記被押圧部材が前記第１の電極に接触している状態で前記被押圧部材が前記押圧部材により押圧されることで前記被押圧部材の第２の領域に接触可能な第２の電極と、
前記被押圧部材および前記磁石の外周に配置されているコイルと、を有し、
前記被押圧部材は、前記コイルが非通電状態である場合、前記磁石により保持される第１の状態になり、前記コイルが通電状態である場合、前記磁石から引き離される第２の状態になり、
前記第１の状態または前記第２の状態のいずれかの状態において、前記第１の領域は前記第１の電極に接触することを特徴とするスイッチ装置。
【請求項２】
前記第１の状態において、前記第１の領域は前記第１の電極に接触することを特徴とすることを特徴とする請求項１に記載のスイッチ装置。
【請求項３】
前記第２の状態において、前記第１の領域は前記第１の電極に接触することを特徴とすることを特徴とする請求項１に記載のスイッチ装置。
【請求項４】
前記被押圧部材が弾性変形することで、前記第２の領域は前記第２の電極に接触することを特徴とする請求項１から３のいずれか１項に記載のスイッチ装置。
【請求項５】
前記コイルが通電状態である場合に磁力を得て、前記被押圧部材を付勢する第１の付勢部材を更に有することを特徴とする請求項１から４のいずれか１項に記載のスイッチ装置。
【請求項６】
請求項１から５のいずれか１項に記載のスイッチ装置と、
前記被押圧部材を押圧する押圧部材と、を有することを特徴とする撮像装置。
【請求項７】
前記押圧部材に取り付けられ、前記被押圧部材の弾性変形に応じて弾性変形する弾性部材を更に有することを特徴とする請求項６に記載の撮像装置。
【請求項８】
前記押圧部材を前記押圧部材の押圧方向とは反対方向へ付勢する第２の付勢部材を更に有することを特徴とする請求項６または７に記載の撮像装置。
【発明の詳細な説明】
【技術分野】
【０００１】
本発明は、スイッチ装置に関し、特にカメラのシャッター、ビデオカメラの撮影スイッチ、その他各種電子機器のスイッチなどにおいて、段数の切り替えを可能とするスイッチ装置に関する。
【背景技術】
【０００２】
従来、ユーザーがスイッチボタンを押下すると、電子機器の動作状態を順次切り替える多段スイッチが知られている。特許文献１には、部品点数が少なく、薄型化が可能であり、明確なクリック感を得られる２段式スイッチが開示されている。
【先行技術文献】
【特許文献】
【０００３】
【特許文献１】特許第５２２１８１９号公報
【発明の概要】
【発明が解決しようとする課題】
【０００４】
しかしながら、特許文献１の２段式スイッチでは、１段目スイッチが不要である場合でも、２段目スイッチをＯＮ状態にするために、１段目スイッチをＯＦＦ状態からＯＮ状態にする必要がある。このとき、ユーザーは、１段目スイッチのクリック感を得るが、このような感触を煩わしいと感じる可能性がある。
【０００５】
本発明は、１段目スイッチの感触をなくした状態で２段目スイッチをＯＮ状態にすることが可能なスイッチ装置を提供することを目的とする。
【課題を解決するための手段】
【０００６】
本発明の一側面としてのスイッチ装置は、磁石と、磁性体で構成され、押圧部材により押圧される被押圧部材と、前記被押圧部材の第１の領域に接触可能な第１の電極と、前記被押圧部材が前記第１の電極に接触している状態で前記被押圧部材が前記押圧部材により押圧されることで前記被押圧部材の第２の領域に接触可能な第２の電極と、前記被押圧部材および前記磁石の外周に配置されているコイルと、を有し、前記被押圧部材は、前記コイルが非通電状態である場合、前記磁石により保持される第１の状態になり、前記コイルが通電状態である場合、前記磁石から引き離される第２の状態になり、前記第１の状態または前記第２の状態のいずれかの状態において、前記第１の領域は前記第１の電極に接触することを特徴とする。
【発明の効果】
【０００７】
本発明によれば、１段目スイッチの感触をなくした状態で２段目スイッチをＯＮ状態にすることが可能なスイッチ装置を提供することができる。
【図面の簡単な説明】
【０００８】
【図１】本発明の実施形態に係る多段スイッチを有する撮像装置の斜視図である。
【図２】実施例１の多段スイッチの分解斜視図である。
【図３】実施例１の第１の状態の多段スイッチの断面図である。
【図４】レリーズボタンの分解斜視図である。
【図５】撮像装置に取り付けられた状態の多段スイッチの断面図である。
【図６】実施例１の１段目スイッチがＯＮ状態である場合の多段スイッチの断面図である。
【図７】実施例１の第２の状態の多段スイッチの断面図である。
【図８】実施例１の２段目スイッチがＯＮ状態である場合の多段スイッチの断面図である。
【図９】実施例２の多段スイッチの分解斜視図である。
【図１０】実施例２の第１の状態の多段スイッチの断面図である。
【図１１】実施例２の第２の状態の多段スイッチの断面図である。
【図１２】実施例２の１段目スイッチがＯＮ状態である場合の多段スイッチの断面図である。
【図１３】実施例２の２段目スイッチがＯＮ状態である場合の多段スイッチの断面図である。
【発明を実施するための形態】
【０００９】
以下、本発明の実施例について、図面を参照しながら詳細に説明する。各図において、同一の部材については同一の参照番号を付し、重複する説明は省略する。
【００１０】
図１は、本発明の実施形態に係る多段スイッチを有する撮像装置１００の斜視図である。前カバー１０１、後ろカバー１０２、および上カバー１０３は、撮像装置１００の外装を形成している。上カバー１０３には、レリーズボタン（押圧部材）１０４およびファインダー１０５が配置されている。レリーズボタン１０４は、上カバー１０３に周囲を囲まれており、通常は上カバー１０３から突出している。ユーザーは、ファインダー１０５を覗きながらレリーズボタン１０４を押下することで撮影することができる。
【００１１】
なお、以下の実施例では、本発明の一例である、撮像装置１００に搭載され、１段目スイッチは焦点合わせ、２段目スイッチはシャッターを切るために使用される多段スイッチについて説明する。
【実施例１】
【００１２】
図２は、本実施例の多段スイッチ（スイッチ装置）１０６の分解斜視図である。図３は、多段スイッチ１０６の断面図である。図３では、多段スイッチ１０６は、図中の中心線に対して左右対称である。多段スイッチ１０６は、スイッチケース１０７、メタルドーム（被押圧部材）１０８、永久磁石１０９、スイッチ基板１１０、電磁コイル１１１、および板金（第１の付勢部材）１１２を有する。
【００１３】
スイッチケース１０７は、スイッチ上カバー１０７ａおよびスイッチ下カバー１０７ｂを有する。スイッチ上カバー１０７ａは中央に穴が開いており、スイッチ下カバー１０７ｂは内側に四つの仕切り部１０７ｃを有する。メタルドーム１０８は、磁性体かつ導電性材料で構成され、中央部分に平面形状が円形であるドーム部（第２の領域）１０８ａ、およびドーム部１０８ａの周囲に設けられた接地部（第１の領域）１０８ｂを有する。ドーム部１０８ａは、上面（例えば、頂点の近傍）を押すと弾性変形して凹み、離すと元の形状に復元する。ドーム部１０８ａは、弾性変形時にユーザーにクリック感を与える。永久磁石１０９ａは、スイッチ上カバー１０７ａに固定されている。スイッチ基板１１０は、接地部１０８ｂに接触可能に設けられた２つの第１の電極１１０ａ、および第１の電極１１０ａに挟まれ、ドーム部１０８ａに接触可能に設けられた第２の電極１１０ｂを有する。電磁コイル１１１は、仕切り部１０７ｃの外側、すなわちメタルドーム１０８および永久磁石１０９の外周に配置されている。板金１１２は、仕切り部１０７ｃの内側で固定されている。
【００１４】
電磁コイル１１１に通電していない状態では、メタルドーム１０８は、永久磁石１０９に引き寄せられている。すなわち、メタルドーム１０８は、スイッチ上カバー１０７ａ側に付勢されている。このとき、ドーム部１０８ａは、図３に示されるように、スイッチ上カバー１０７ａに形成された穴から露出する。このような多段スイッチ１０６の状態を第１の状態とする。
【００１５】
図４は、レリーズボタン１０４の分解斜視図、図５は、撮像装置１００に取り付けられた状態の多段スイッチ１０６の断面図である。
【００１６】
レリーズボタン１０４は、キートップ部１０４ａおよび軸部１０４ｂを有する。軸部１０４ｂは、Ｅリング取りつけ溝１０４ｃを有する。軸部１０４ｂの先端には、平面形状が円形であるレリーズボタン押圧部材（弾性部材）１１５が配置されている。レリーズボタン押圧部材１１５は、レリーズボタン１０４とは別体であり、弾性変形可能な樹脂材料から作製されている。レリーズボタン付勢バネ（第２の付勢部材）１１３は、レリーズボタン１０４と上カバー１０３との間に配置され、レリーズボタン１０４の押圧方向とは反対方向へレリーズボタン１０４を付勢している。Ｅリング１１４は、Ｅリング取りつけ溝１０４ｃに取り付けられ、レリーズボタン付勢バネ１１３により付勢されているレリーズボタン１０４が上カバー１０３から抜け出ることを防止している。
【００１７】
多段スイッチ１０６は、フレキシブル基板１１６に実装され、レリーズボタン１０４により押圧されるように設けられている。フレキシブル基板１１６は、多段スイッチベース１１７上に配置されている。ユーザーによりレリーズボタン１０４が押下された場合、レリーズボタン押圧部材１１５はドーム部１０８ａに接触する。その後、レリーズボタン押圧部材１１５により押圧され、メタルドーム１０８が下降する際、ドーム部１０８ａの変形に対応するようにレリーズボタン押圧部材１１５が変形するため、メタルドーム１０８が傾くことを防止することができる。
【００１８】
電磁コイル１１１に通電していない状態において、レリーズボタン１０４が押下されると、メタルドーム１０８がレリーズボタン押圧部材１１５に押されることで下降し、接地部１０８ｂが第１の電極１１０ａに接触する。これにより、１段目スイッチがＯＮ状態になり、ユーザーが１段目スイッチの感触を得ることができる。図６は、このときの多段スイッチ１０６の状態を示している。図６に示されるように、レリーズボタン押圧部材１１５およびドーム部１０８ａは、反転せずドーム形状を維持している。なお、図６において、多段スイッチ１０６は、図中の中心線に対して左右対称である。
【００１９】
電磁コイル１１１に通電すると、永久磁石１０９が発する磁界の向きと逆向きの磁界が発生し、メタルドーム１０８および板金１１２が磁力を帯びる。この磁力が永久磁石１０９による磁力より大きくなると、メタルドーム１０８は板金１１２側に引き寄せられる。すなわち、電磁コイル１１１が非通電状態である場合、メタルドーム１０８は永久磁石１０９に保持されているが、電磁コイル１１１が通電状態である場合、メタルドーム１０８は板金１１２に付勢され、永久磁石１０９から引き離される。メタルドーム１０８が板金１１２側に引き寄せられることで、接地部１０８ｂは第１の電極１１０ａに接触し、１段目スイッチはＯＮ状態になる。図７はこのときの多段スイッチ１０６の状態を示しており、このような多段スイッチ１０６の状態を第２の状態とする。なお、図７において、多段スイッチ１０６は、図中の中心線に対して左右対称である。
【００２０】
多段スイッチ１０６が第１の状態または第２の状態である場合にレリーズボタン１０４が押下されると、ドーム部１０８ａはレリーズボタン押圧部材１１５に押され反転する。その後、ドーム部１０８ａの裏面が第２の電極１１０ｂに接触し、２段目スイッチがＯＮ状態になる。図８は、このときの多段スイッチ１０６の状態を示している。図８に示されるように、レリーズボタン押圧部材１１５は、ドーム部１０８ａの弾性変形に応じて弾性変形している。なお、図８において、多段スイッチ１０６は、図中の中心線に対して左右対称である。
【００２１】
上記構成により、１段目スイッチが不要である場合に、１段目スイッチをＯＦＦ状態からＯＮ状態にすることなく、２段目スイッチをＯＮ状態にすることができる。これにより、１段目スイッチの感触をなくした状態で２段目スイッチをＯＮ状態にすることができる。すなわち、ユーザーは、１段目スイッチの感触を感じることはなく、２段目スイッチの感触のみを得ることができる。
【００２２】
例えば、焦点合わせに用いられる１段目スイッチの機能をレリーズボタンから他の操作部材に割り当てた状態で撮像装置１００を使用する場合、多段スイッチ１０６を第１の状態から第２の状態に移行させておく。その結果、ユーザーは、１段目スイッチをＯＦＦ状態からＯＮ状態にすることなく、２段目スイッチをＯＮ状態にすることができる。そのため、ユーザーは１段目スイッチの感触を感じることがなくなり、ユーザーのスイッチを押す際の不快感を軽減することができる。
【００２３】
また、撮像装置１００は、撮影モードとして、静止画サーボＡＦモードや動画サーボＡＦモードを有する。これらのモードでは、１段目スイッチをＯＮ状態にした後、撮像装置１００自体が自動で合焦状態を維持する。したがって、これらのモードでは、多段スイッチ１０６を第１の状態から第２の状態に移行させておく。その結果、ユーザーは、１段目スイッチをＯＦＦ状態からＯＮ状態にすることなく、２段目スイッチをＯＮ状態にすることができる。そのため、ユーザーは１段目スイッチの感触を感じることがなくなり、ユーザーのスイッチを押す際の不快感を軽減することができる。
【実施例２】
【００２４】
図９は、本実施例の多段スイッチ（スイッチ装置）１１８の分解斜視図である。図１０は、多段スイッチ１１８の断面図である。図１０では、多段スイッチ１１８は、図中の中心線に対して左右対称である。多段スイッチ１１８は、スイッチケース１０７、メタルドーム１０８、複数の永久磁石１０９、スイッチ基板１１０、電磁コイル１１１、および板金（第１の付勢部材）１１９を有する。
【００２５】
板金１１９は、スイッチ上カバー１０７ａに固定されている。永久磁石１０９は、仕切り部１０７ｃの内側で固定されている。
【００２６】
電磁コイル１１１に通電していない状態では、メタルドーム１０８は、永久磁石１０９に引き寄せられている。すなわち、メタルドーム１０８は、スイッチ下カバー１０７ｂ側に付勢されている。このとき、接地部１０８ｂは第１の電極１１０ｂに接触しており、１段目スイッチがＯＮ状態になっている。このような多段スイッチ１１８の状態を第１の状態とする。
【００２７】
電磁コイル１１１に通電すると、永久磁石１０９が発する磁界の向きと逆向きの磁界が発生し、メタルドーム１０８および板金１１９が磁力を帯びる。この磁力が永久磁石１０９による磁力より大きくなると、メタルドーム１０８は板金１１９側に引き寄せられる。すなわち、電磁コイル１１１が非通電状態である場合、メタルドーム１０８は永久磁石１０９に保持されているが、電磁コイル１１１が通電状態である場合、メタルドーム１０８は板金１１９に付勢され、永久磁石１０９から引き離される。メタルドーム１０８が板金１１９側に引き寄せられることで、接地部１０８ｂは第１の電極１１０ｂから引き離され、１段目スイッチはＯＦＦ状態になる。図１１はこのときの多段スイッチ１１８の状態を示しており、このような多段スイッチ１１８の状態を第２の状態とする。なお、図１１において、多段スイッチ１１８は、図中の中心線に対して左右対称である。
【００２８】
多段スイッチ１１８が第２の状態である場合にレリーズボタン１０４が押下されると、メタルドーム１０８がレリーズボタン押圧部材１１５に押されることで下降し、接地部１０８ｂが第１の電極１１０ａに接触する。これにより、１段目スイッチがＯＮ状態になる。図１２は、このときの多段スイッチ１１８の状態を示している。図１２に示されるように、レリーズボタン押圧部材１１５およびドーム部１０８ａは、反転せずドーム形状を維持している。なお、図１２において、多段スイッチ１１８は、図中の中心線に対して左右対称である。
【００２９】
多段スイッチ１１８が図１２の状態である場合にレリーズボタン１０４が押下されると、ドーム部１０８ａはレリーズボタン押圧部材１１５に押され反転する。その後、ドーム部１０８ａの裏面が第２の電極１１０ｂに接触し、２段目スイッチがＯＮ状態になる。図１３は、このときの多段スイッチ１１８の状態を示している。図１３に示されるように、レリーズボタン押圧部材１１５は、ドーム部１０８ａの弾性変形に応じて弾性変形している。なお、図１３において、多段スイッチ１１８は、図中の中心線に対して左右対称である。
【００３０】
上記構成により、１段目スイッチが不要である場合に、１段目スイッチをＯＦＦ状態からＯＮ状態にすることなく、２段目スイッチをＯＮ状態にすることができる。これにより、１段目スイッチの感触をなくした状態で２段目スイッチをＯＮ状態にすることができる。すなわち、ユーザーは、１段目スイッチの感触を感じることはなく、２段目スイッチの感触のみを得ることができる。
【００３１】
以上、本発明の好ましい実施形態について説明したが、本発明はこれらの実施形態に限定されず、その要旨の範囲内で種々の変形及び変更が可能である。
【符号の説明】
【００３２】
１０４    レリーズボタン（押圧部材）
１０６    多段スイッチ（スイッチ装置）
１０８    メタルドーム（被押圧部材）
１０８ａ  ドーム部（第２の領域）
１０８ｂ  接地部（第１の領域）
１０９    永久磁石（磁石）
１１０ａ  第１の電極
１１０ｂ  第２の電極
１１１    電磁コイル（コイル）
１１８    多段スイッチ（スイッチ装置）
【図１】
2019087481.tif 000003
【図２】
2019087481.tif 000004
【図３】
2019087481.tif 000005
【図４】
2019087481.tif 000006
【図５】
2019087481.tif 000007
【図６】
2019087481.tif 000008
【図７】
2019087481.tif 000009
【図８】
2019087481.tif 000010
【図９】
2019087481.tif 000011
【図１０】
2019087481.tif 000012
【図１１】
2019087481.tif 000013
【図１２】
2019087481.tif 000014
【図１３】
2019087481.tif 000015